(57)【要約】【課題】  特別図柄表示装置と演出図柄表示装置を個別に設けた弾球遊技機において、特別図柄表示装置の配置を最適化し、演出図柄表示装置の視認性及び演出効果を向上させる。【解決手段】  遊技盤４に、主基板２６の制御に応じて特別図柄を表示する特別図柄表示装置１９と、周辺基板２７の制御に応じて特別図柄に係る演出図柄を表示する演出図柄表示装置２０とを個別に設けたパチンコ遊技機１であって、演出図柄表示装置２０を、遊技領域の中央部で、かつ始動口１６よりも上側の領域に配置すると共に、特別図柄表示装置１９を、始動口１６よりも下側の領域に配置する。【選択図】        図３
2006075510.tif 000002
【特許請求の範囲】
【請求項１】
遊技盤の遊技領域に配置される始動口及び大入賞口と、始動口に対する遊技球の入賞に応じて特別図柄に係る抽選処理を行う主基板と、該主基板から出力される演出コマンドに応じて演出処理を行う周辺基板とを備え、特別図柄に係る抽選に当選したとき、前記大入賞口を開放動作させる弾球遊技機において、
前記遊技盤に、前記主基板の制御に応じて特別図柄を表示する特別図柄表示装置と、前記周辺基板の制御に応じて特別図柄に係る演出図柄を表示する演出図柄表示装置とを個別に設け、該演出図柄表示装置を、前記遊技領域の中央部で、かつ前記始動口よりも上側の領域に配置すると共に、前記特別図柄表示装置を、前記始動口よりも下側の領域に配置したことを特徴とする弾球遊技機。
【請求項２】
前記特別図柄表示装置が配置される領域は、前記大入賞口よりも下側の領域であることを特徴とする請求項１記載の弾球遊技機。
【請求項３】
前記特別図柄表示装置が配置される領域は、遊技球が明らかにアウト口に導かれる領域であることを特徴とする請求項１又は２記載の弾球遊技機。
【請求項４】
前記特別図柄表示装置が配置される領域は、遊技球の発射経路と前記遊技領域を仕切る内側誘導レールの近傍領域であることを特徴とする請求項１〜３のいずれかに記載の弾球遊技機。
【発明の詳細な説明】
【技術分野】
【０００１】
本発明は、特別図柄表示装置と演出図柄表示装置を個別に備えるパチンコ遊技機などの弾球遊技機に関する。
【背景技術】
【０００２】
始動口に対する遊技球の入賞に応じて、特別図柄に係る抽選処理を行い、特別図柄に係る抽選に当選したとき、大入賞口（特別電動役物）を開放動作させる弾球遊技機が普及している。この種の弾球遊技機は、液晶パネルなどで構成される特別図柄表示装置と、特別図柄に係る抽選処理を行う主基板と、該主基板からの演出コマンドに応じて特別図柄表示装置を制御する周辺基板（図柄表示制御基板）とを備えており、通常、特別図柄表示装置では、特別図柄を変動表示するだけでなく、様々な演出図柄を用いて、リーチ予告演出、スーパーリーチ演出、大当り演出などが行われている。
【０００３】
今般、弾球遊技機に係る規則の改正により、特別図柄表示装置は主基板で制御することが定められた。しかしながら、主基板には、プログラム容量に制限があるため、特別図柄表示装置において多彩な演出表示を行うことが実質的に困難になる。
【０００４】
そこで、特別図柄表示装置とは別に演出図柄表示装置を設けることが提案される（例えば、特許文献１参照。）。このような構成によれば、演出図柄表示装置を周辺基板で制御することにより、主基板のプログラム容量に影響を受けることなく、様々な演出表示を行うことが可能になる。
【特許文献１】特開２００１−１１２９７３号公報
【発明の開示】
【発明が解決しようとする課題】
【０００５】
しかしながら、特許文献１に記載された遊技機では、特別図柄表示装置及び演出図柄表示装置を遊技盤中央部に配置しているため、両装置の表示が同時に視界に入り、表示内容の視認性が低下するという問題がある。特に、特別図柄表示装置は、特別図柄を形式的に簡易表示することが想定されるため、その表示が煩わしく感じられ、演出図柄表示装置の演出効果を低下させる惧れがある。
【課題を解決するための手段】
【０００６】
本発明は、上記の如き実情に鑑みこれらの課題を解決することを目的として創作されたものであって、遊技盤の遊技領域に配置される始動口及び大入賞口と、始動口に対する遊技球の入賞に応じて特別図柄に係る抽選処理を行う主基板と、該主基板から出力される演出コマンドに応じて演出処理を行う周辺基板とを備え、特別図柄に係る抽選に当選したとき、前記大入賞口を開放動作させる弾球遊技機において、前記遊技盤に、前記主基板の制御に応じて特別図柄を表示する特別図柄表示装置と、前記周辺基板の制御に応じて特別図柄に係る演出図柄を表示する演出図柄表示装置とを個別に設け、該演出図柄表示装置を、前記遊技領域の中央部で、かつ前記始動口よりも上側の領域に配置すると共に、前記特別図柄表示装置を、前記始動口よりも下側の領域に配置したことを特徴とする。すなわち、遊技者は、遊技球の発射位置から始動口に至る遊技球経路や、遊技盤中央部の演出図柄表示装置に注目しながら遊技を行うことに着目し、これらの領域から外れた始動口の下側領域に特別図柄表示装置を配置したので、遊技者の視界から特別図柄表示装置を可及的に外すことが可能になる。これにより、特別図柄表示装置と演出図柄表示装置を個別に設けたものでありながら、特別図柄表示装置による形式的な特別図柄表示を実質的に無効化し、演出図柄表示装置の視認性及び演出効果を高めることができる。
また、前記特別図柄表示装置が配置される領域は、前記大入賞口よりも下側の領域であることを特徴とする。このように構成すれば、特別図柄表示装置に対する遊技者の注目度を更に低下させることができる。
また、前記特別図柄表示装置が配置される領域は、遊技球が明らかにアウト口に導かれる領域であることを特徴とする。このように構成すれば、特別図柄表示装置に対する遊技者の注目度を更に低下させることができる。
また、前記特別図柄表示装置が配置される領域は、遊技球の発射経路と前記遊技領域を仕切る内側誘導レールの近傍領域であることを特徴とする。このように構成すれば、特別図柄表示装置に対する遊技者の注目度を更に低下させることができる。
【発明の効果】
【０００７】
以上のように構成された本発明によれば、特別図柄表示装置と演出図柄表示装置を個別に設けたものでありながら、遊技者の視界から特別図柄表示装置を可及的に外して、演出図柄表示装置の視認性及び演出効果を高めることができる。
【発明を実施するための最良の形態】
【０００８】
［パチンコ遊技機の基本構成］
次に、本発明の実施の形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００９】
パチンコ遊技機１の正面は、遊技領域を構成する遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【００１０】
図３に示すように、遊技盤４には、誘導レール１４、１５、始動口１６、入賞口（図示せず）、ゲート（図示せず）、大入賞口１７、アウト口１８、特別図柄表示装置１９、演出図柄表示装置２０、普通図柄表示装置２１、保留記憶表示装置２２、風車２３、遊技釘２４などが配置されている。
【００１１】
誘導レール１４、１５は、遊技球の発射経路２５を形成しており、発射された遊技球は発射経路２５の上端から遊技領域に放出される。遊技領域に放出された遊技球は、風車２３や遊技釘２４によって、始動口１６、入賞口、ゲート、大入賞口１７、アウト口１８などに誘導される。
【００１２】
始動口１６に遊技球が入賞すると、内部的に特別図柄抽選が行われ、その抽選結果が特別図柄表示装置１９及び演出図柄表示装置２０に表示される。この抽選に当選すると、特別電動役物１７ａの動作により、大入賞口１７が連続的に開放される（例えば１５ラウンド）。また、特別図柄抽選作動（又は特別図柄表示作動）は、所定個数（例えば４個）を限度として保留記憶することができ、その記憶個数が保留記憶表示装置２２に表示される。
【００１３】
遊技球がゲートを通過すると、内部的に普通図柄抽選が行われ、その抽選結果が普通図柄表示装置２１に表示される。この抽選に当選すると、普通電動役物１６ａの動作により、始動口１６が所定時間拡開される。また、始動口１６、入賞口、大入賞口１７のいずれにも入賞しなかった遊技球は、遊技領域の最下部に設けられるアウト口１８まで導かれ、ここから遊技盤４の裏側に排出される。
【００１４】
特別図柄表示装置１９は、演出図柄表示装置２０に比べて簡易な表示デバイス、例えば７セグメントＬＥＤや８セグメントＬＥＤを用いて構成されている。特別図柄表示装置１９の表示内容は、始動口１６に対する遊技球の入賞に応じて特別図柄を変動表示し、これを所定時間後に停止させるものであれば、特に制限はない。例えば、特別図柄表示装置１９が１桁表示の７セグメントＬＥＤで構成される場合は、変動中のとき「−」の点滅、外れのとき「−」、ノーマル当りのとき「１」、「２」、「４」、「６」、「８」、「９」、確変当りのとき「３」、「５」、「７」を表示させる。
【００１５】
演出図柄表示装置２０は、特別図柄表示装置１９に比べて表現力の高い表示デバイス、例えば液晶パネルを用いて構成されている。演出図柄表示装置２０の表示内容は、始動口１６に対する遊技球の入賞に応じて特別図柄に係る演出図柄を変動表示し、これを所定時間後に停止させるものであれば、特に制限はない。例えば、３つの図柄を変動表示し、当りのときは同じ図柄で停止させる。また、演出図柄表示装置２０では、図柄表示だけでなく、リーチ予告演出、スーパーリーチ演出、大当り演出など、様々な演出表示を行うことができる。
【００１６】
［パチンコ遊技機の基板構成］
次に、パチンコ遊技機１の基板構成について、図４を参照して説明する。図４に示すように、パチンコ遊技機１は、少なくとも主基板２６と、該主基板２６からの演出コマンドに応じて、演出処理を行う周辺基板２７とを備えている。本実施形態の主基板２６は、主制御基板２８、払出制御基板２９、発射モータ制御基板３０及び特別図柄表示制御基板３１を含み、周辺基板２７は、演出図柄表示制御基板３２、音声制御基板３３及びランプ制御基板３４を含んでいる。
【００１７】
払出制御基板２９には、玉切れスイッチ３５、払出センサ３６、払出モータ３７などが接続されており、主制御基板２８からの払出信号に応じて、遊技球の払い出しを行うほか、台間玉貸し機３からの貸出信号に応じて、遊技球の払い出しを行う。また、発射モータ制御基板３０には、発射スイッチ（ハンドル角センサ）３８、タッチセンサ３９、発射モータ１３などが接続されており、発射スイッチ３８及びタッチセンサ３９がＯＮのとき、発射モータ１３を駆動させる。また、特別図柄表示制御基板３１には、特別図柄表示装置１９が接続されており、主制御基板２８からの表示信号に応じて、特別図柄表示装置１９に特別図柄を表示させる。
【００１８】
主制御基板２８には、入賞口に対する遊技球の入賞を検出する入賞口スイッチＳＷ１、始動口１６に対する遊技球の入賞を検出する始動口スイッチＳＷ２、ゲートに対する遊技球の通過を検出するゲートスイッチＳＷ３、大入賞口１７に対する遊技球の入賞を検出する大入賞口スイッチＳＷ４、大入賞口１７内の特定領域に対する遊技球の通過を検出する特定領域スイッチＳＷ５などのセンサ類と、特別電動役物１７ａや普通電動役物１６ａを開閉動作させるソレノイドＳＯＬ１、ＳＯＬ２などのアクチュエータ類と、保留記憶表示装置２２などの表示デバイス類とが接続されている。そして、主制御基板２８は、上記各スイッチＳＷ１〜ＳＷ５の検出信号に応じて、特別図柄抽選処理、特別図柄表示処理、普通図柄抽選処理、普通図柄表示処理、演出コマンド送信処理などを行う。
【００１９】
演出図柄表示制御基板３２には、演出図柄表示装置２０が接続されており、主制御基板２８からの演出コマンドに応じて、演出図柄表示装置２０に演出図柄を表示させる。また、音声制御基板３３には、スピーカ１０が接続されており、主制御基板２８（又は演出図柄表示制御基板３２）からの演出コマンドに応じて、所定の演出音声をスピーカ１０から出音させる。また、ランプ制御基板３４には、発光表示ランプＬが接続されており、主制御基板２８（又は演出図柄表示制御基板３２）からの演出コマンドに応じて、発光表示ランプＬを点灯動作させる。
【００２０】
［遊技盤の配置構成］
次に、遊技盤４の配置構成について、図３を参照して説明する。図３に示すように、本実施形態のパチンコ遊技機１では、遊技盤４に、主基板２６の制御に応じて特別図柄を表示する特別図柄表示装置１９と、周辺基板２７の制御に応じて特別図柄に係る演出図柄を表示する演出図柄表示装置２０とを個別に設けるにあたり、演出図柄表示装置２０を、遊技領域の中央部で、かつ始動口１６よりも上側の領域に配置し、特別図柄表示装置１９を、始動口１６よりも下側の領域に配置している。
【００２１】
つまり、遊技者が、遊技球の発射位置から始動口１６に至る遊技球経路や、遊技盤中央部の演出図柄表示装置２０に注目しながら遊技を行うことに着目し、これらの領域から外れた領域（始動口１６の下側領域）に特別図柄表示装置１９を配置したので、遊技者の視界から特別図柄表示装置１９を可及的に外すことができる。これにより、特別図柄表示装置１９による特別図柄表示が煩わしく感じられるような不都合を回避できるだけでなく、遊技者の関心を演出図柄表示装置２０に向けさせ、演出図柄表示装置２０の演出効果を高めることができる。
【００２２】
更に、特別図柄表示装置１９が配置される領域は、始動口１６よりも下側という条件に加え、下記の条件を満たすことが好ましい。このような領域に特別図柄表示装置１９を配置すると、特別図柄表示装置１９に対する遊技者の注目度を更に低下させることができる。
（１）大入賞口１７よりも下側の領域
（２）遊技球が明らかにアウト口１８に導かれる領域
（３）遊技球の発射経路２５と遊技領域を仕切る内側誘導レール１５の近傍領域
【００２３】
叙述の如く構成された本実施形態のパチンコ遊技機１は、遊技盤４の遊技領域に配置される始動口１６及び大入賞口１７と、始動口１６に対する遊技球の入賞に応じて特別図柄に係る抽選処理を行う主基板２６と、該主基板２６から出力される演出コマンドに応じて演出処理を行う周辺基板２７とを備え、特別図柄に係る抽選に当選したとき、大入賞口１７を開放動作させるものであるが、遊技盤４に、主基板２６の制御に応じて特別図柄を表示する特別図柄表示装置１９と、周辺基板２７の制御に応じて特別図柄に係る演出図柄を表示する演出図柄表示装置２０とを個別に設け、該演出図柄表示装置２０を、遊技領域の中央部で、かつ始動口１６よりも上側の領域に配置すると共に、特別図柄表示装置１９を、始動口１６よりも下側の領域に配置したので、遊技者の視界から特別図柄表示装置１９を可及的に外すことができる。これにより、特別図柄表示装置１９と演出図柄表示装置２０を個別に設けたものでありながら、特別図柄表示装置１９による形式的な特別図柄表示を実質的に無効化し、演出図柄表示装置２０の視認性及び演出効果を高めることができる。
【００２４】
また、本実施形態において、特別図柄表示装置１９が配置される領域は、大入賞口１７よりも下側の領域であるため、特別図柄表示装置１９に対する遊技者の注目度を更に低下させることができる。
【００２５】
また、本実施形態において、特別図柄表示装置１９が配置される領域は、遊技球が明らかにアウト口１８に導かれる領域であるため、特別図柄表示装置１９に対する遊技者の注目度を更に低下させることができる。
【００２６】
また、本実施形態において、特別図柄表示装置１９が配置される領域は、遊技球の発射経路２５と遊技領域を仕切る内側誘導レール１５の近傍領域であるため、特別図柄表示装置１９に対する遊技者の注目度を更に低下させることができる。
【図面の簡単な説明】
【００２７】
【図１】パチンコ遊技機の正面図である。
【図２】パチンコ遊技機の背面図である。
【図３】遊技盤の正面図である。
【図４】パチンコ遊技機の基板構成を示すブロック図である。
【符号の説明】
【００２８】
１    パチンコ遊技機
４    遊技盤
１５  内側誘導レール
１６  始動口
１７  大入賞口
１８  アウト口
１９  特別図柄表示装置
２０  演出図柄表示装置
２６  主基板
２７  周辺基板
【図１】
2006075510.tif 000003
【図２】
2006075510.tif 000004
【図３】
2006075510.tif 000005
【図４】
2006075510.tif 000006